Podtech/llm-jp-corpus-v4-ja_patent huggingface dataset:
(57)【要約】      （修正有）【課題】遺毛や遺髪を収容する部位の密封性を高める形見カプセルを提供する。【解決手段】形見カプセル１は、有底の筒状をなす筐体２と、筐体２内に配置され、遺毛または遺髪が収容される形見収容部４と、形見収容部４の開口部を覆うキャップ５と、筐体２の開口部を覆う蓋部と、を有する。【選択図】図３
0003223583.tif 000002
【実用新案登録請求の範囲】
【請求項１】
有底の筒状をなす筐体と、
前記筐体内に配置され、形見が収容される形見収容部と、
前記形見収容部の開口部を覆う第１の蓋部と、
前記筐体の開口部を覆う第２の蓋部と、
を有することを特徴とする形見カプセル。
【考案の詳細な説明】
【技術分野】
【０００１】
本考案は形見カプセルに関する。
【背景技術】
【０００２】
故人の遺髪、遺爪等を収納保管する身飾品が知られている。例えば、遺髪、遺爪等を収納保管する遺髪爪容器と、この遺髪爪容器の開口を閉塞する蓋体と、遺髪爪容器を覆って蓋体に着脱自在に固着される化粧容器とを備えた遺髪、遺爪等を収納できる身飾品が知られている。
【先行技術文献】
【特許文献】
【０００３】
【特許文献１】実用新案登録第３０２８４６８号公報
【考案の概要】
【考案が解決しようとする課題】
【０００４】
近年は、故人のみならず、ペットの遺毛を身につけておきたいという需要が存在する。また、引用文献１の考案は、開封する度に遺髪等が空気にさらされるため、遺髪等が劣化し易いという問題がある。
１つの側面では、本考案は、遺毛や遺髪を収容する部位の密封性を高めることを目的とする。
【課題を解決するための手段】
【０００５】
上記目的を達成するために、開示の形見カプセルが提供される。この形見カプセルは、有底の筒状をなす筐体と、筐体内に配置され、形見が収容される収容部と、形見収容部の開口部を覆う第１の蓋部と、筐体の開口部を覆う第２の蓋部と、を有している。
【考案の効果】
【０００６】
１態様では、遺毛や遺髪を収容する部位の密封性を高めることができる。
【図面の簡単な説明】
【０００７】
【図１】実施の形態の形見カプセルを示す図である。
【図２】筐体を説明する図である。
【図３】形見収容部を説明する図である。
【図４】蓋部を説明する図である。
【考案を実施するための形態】
【０００８】
以下、実施の形態の形見カプセルを、図面を参照して詳細に説明する。
＜実施の形態＞
図１は、実施の形態の形見カプセルを示す図である。
実施の形態の形見カプセル１は、筐体２と蓋部３とを有している。蓋部３は第２の蓋部の一例である。
図２は、筐体を説明する図である。図２（ａ）は、筐体の平面図であり、図２（ｂ）は、筐体の正面図である。
【０００９】
筐体２は、有底の筒状をなしている。筐体２の寸法は、例えば、長さＨ１が３０ｍｍ、筒の深さＨ２が２８ｍｍ、外径Ｈ３が１０．５ｍｍ、内径Ｈ４が８ｍｍである。
筐体２の構成材料としては、例えばステンレス鋼等が挙げられる。
筐体２には、ねじ溝２１が設けられている。また、筐体２には、ゴム製のパッキン２２が取り付けられている。
この筐体２内には、形見収容部が収容される。
図３は、形見収容部を説明する図である。図３（ａ）は、筐体の平面図であり、図３（ｂ）は、筐体の正面図である。
【００１０】
形見収容部４は、筒状をなしている。形見収容部４は、例えば亡くなったペットの遺毛や遺髪、遺骨等の形見を収容することができる。形見はペットに限らず、人間のものでもよい。形見収容部４は透明であってもよいし、半透明であってもよいし、不透明であってもよい。
形見収容部４の構成材料としては、例えばガラスや樹脂等が挙げられる。
形見収容部４の開口部には、例えばウレタン製のキャップ５を取り付けることができる。キャップ５は、第１の蓋部の一例である。
図４は、蓋部を説明する図である。図４（ａ）は、蓋部の平面図であり、図４（ｂ）は、蓋部の正面図である。
蓋部３には、ネックレスチェーンを取り付けることができる孔部３１が設けられている。
また、蓋部３には、ねじ溝２１と螺合するねじ溝３２が設けられている。
【００１１】
この形見カプセル１を使用する際には、筐体２から蓋部３を取り外す。そして、筐体２内から形見収容部４を取り出す。形見収容部４からキャップ５を取り外し、遺毛や遺髪を形見収容部４に入れてキャップ５で封をする。この形見収容部４を筐体２に入れて蓋部３で封をする。
予め孔部３１にネックレスチェーンを取り付けておくことで、形見カプセル１を首からかけることにより、形見カプセル１を身につけることができる。
【００１２】
なお、形見収容部４を筐体２に入れて蓋部３で封をしたとき、形見収容部４が筐体２内で移動しないように形見収容部４およびキャップ５の長手方向のサイズが調整されているのが好ましい。
【００１３】
以上述べたように、形見カプセル１は、有底の筒状をなす筐体２と、筐体２内に配置され、遺毛または遺髪等の形見が収容される形見収容部４と、形見収容部４の開口部を覆うキャップ５と、筐体２の開口部を覆う蓋部３と、を有する。これにより、形見収容部４の密封性を高めることができる。
【００１４】
以上、本考案の形見カプセルを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００１５】
１  形見カプセル
２  筐体
３  蓋部
４  形見収容部
５  キャップ
【図１】
0003223583.tif 000003
【図２】
0003223583.tif 000004
【図３】
0003223583.tif 000005
【図４】
0003223583.tif 000006
(57)【要約】      （修正有）【課題】チューブラ型空錠を本締錠として使用可能ならしめるサムターン機構を提供する。【解決手段】空錠本体１の角穴３に挿通される角芯棒２を回動させるサムターンツマミ９を備えた第一の取り付け部材７と、空錠本体１の外装ケース５を挟んで第一の取り付け部材７と相対向して固定可能な第二の取り付け部材８とからなり、前記サムターンツマミ９と第一の取り付け部材との対向面には前記ツマミの移動により解除可能な半固定係止機構が設けられている。【選択図】図１
0003223597.tif 000002
【実用新案登録請求の範囲】
【請求項１】
空錠本体の角穴に挿通される角芯棒を回動させるサムターンツマミを備えた第一の取り付け部材と、空錠本体の外装ケースを挟んで第一の取り付け部材と相対向して固定可能な第二の取り付け部材とからなり、前記サムターンツマミと第一の取り付け部材との対向面には前記ツマミの移動により解除可能な半固定係止機構が設けられている空錠に取り付け可能なサムターン機構。
【請求項２】
前記第二の取り付け部材には前記サムターンツマミの位置を表示する表示手段が収容されているサムターン機構。
【考案の詳細な説明】
【技術分野】
【０００１】
本考案は、空錠を本締錠に転用可能ならしめるサムターン機構に関する。
【背景技術】
【０００２】
取り付け対象ドアごとに錠前のバックセットの寸法ｂや空錠Ａと本締錠Ｂとのスペーシングの寸法ｓが異なる（図４）。一方で本締錠Ｂは、一般的にノブ操作機構Ｃなどを要し空錠Ａに比較して高価なためサイズの種類が少ない。
なお、ロック機構を備え、空錠を本締錠として使用可能なものも特許文献１に見られるよう提案されてはいるがやはり構造が複雑となっている。
【先行技術文献】
【特許文献】
【０００３】
【特許文献１】実開昭５９−８５８６９
【考案の概要】
【考案が解決しようとする課題】
【０００４】
本考案はこのような問題に鑑みてなされたものであって、その目的とするところは、簡単な機構の付加だけで本締錠としても使用できる空錠用サムターンを提案することである。
【課題を解決するための手段】
【０００５】
このような課題を達成するため本考案においては空錠本体の角穴に挿通される角芯棒を回動させるサムターンツマミを備えた第一の取り付け部材と、空錠本体の外装ケースを挟んで第一の取り付け部材と相対向して固定可能な第二の取り付け部材とからなり、前記サムターンツマミと第一の取り付け部材との対向面には前記ツマミの移動により解除可能な半固定係止機構が設けられている。
【考案の効果】
【０００６】
本締錠に比較して種類が多く、安価な空錠を簡単な加工で本締錠として使用することができる。
【図面の簡単な説明】
【０００７】
【図１】空錠本体とこれに取り付けて空錠を本締錠として使用可能ならしめるサムターン機構の一実施例を示す図。
【図２】図（Ａ）、（Ｂ）は、それぞれサムターンツマミの係止機構を示す図。
【図３】本締錠と空錠との取り付け関係の一例を示す図。
【図４】図（Ａ）、（Ｂ）はそれぞれ空錠の一例をノッチの進退の状態で示す図。
【考案を実施するための形態】
【０００８】
図１は、本考案の一実施例を示すものであって、空錠本体１は、周知のようにドアの表裏から操作可能なレバーハンドルやサムターンツマミの軸２が挿入される角穴３を備え、ラッチ４を常時突出方向に付勢し、角穴３の回動によりラッチ４が後退してドアの開放を可能にする図示しないカム機構などをチューブラ型外装ケース５に収容して構成されている。
【０００９】
本考案のサムターン機構は、第一の取り付け部材７と第二の取り付け部材８との組からなり、空錠１の角穴３にサムターンツマミ９の軸２を貫通させ第二の取り付け部材８の凹部１０に挿入し、また一方の取り付け部材、この実施例では第二の取り付け部材に設けた複数の脚部１１，１１を相対する他方の取り付け部材、この実施例では第一の取り付け部材７を構成するサムターン座１２の取り付け孔１３に挿入してサムターン座１２とねじにより両者を固定できるように構成されている。
【００１０】
この第二の取り付け部材８には凹部１０を備えた軸１４に連動する表示板が収容されていてサムターンツマミ９の回動位置に合わせて第二の取り付け部材の表面側に「開」または「閉」のいずれかを表示する図示寺内表示板が収容されている。
【００１１】
また図２（Ａ）（Ｂ）に見られるように第一の取り付け部材７の表面、つまりツマミ９と対向する面１２ａにはラッチ４を後退した状態に維持できる位置Ｏと（図３（Ａ）の状態）、この位置０を中心としてラッチ４が突出した状態となるツマミ９の位置（角度θ）（図３（Ｂ）の状態）に凹部１２ｂ、１２ｃ、１２ｄが形成され、また面１２ａに対向するツマミの裏面９ａには凹部９ｂが設けられ、凹部１２ｂ、１２ｃ、１２ｄに一部が嵌入するボール１５がバネ１６により付勢された状態で収容されている。
【００１２】
この実施例によればサムターン機構の第一の取り付け部材７と第二の取り付け部材８とを、空錠１の角穴３にサムターンツマミ９の軸２を貫通させてねじにより両者を固定すると本締錠となる。
すなわち、第二の取り付け部材８側からは角穴３を回動させる部材がなく、且つ第一の取り付け部材７のツマミ９は位置Ｏに半固定されてラッチ４が突出した状態（図３（Ｂ））に維持されているので、第二の取り付け部材８の側からは開錠が不能となる。
【００１３】
また開錠する場合にはツマミ９を規定角θだけ回転させると、チューブラ型外装ケース５に収容されているカム機構によりラッチ４が後退して図示しない受け座から退出してロックが解ける。
【符号の説明】
【００１４】
１  空錠本体    ２  サムターンツマミの角芯棒    ３  角穴    ４  ラッチ    ５  チューブラ型外装ケース    ７  第一の取り付け部材    ８  第二の取り付け部材    ９  サムターンツマミ    １０  凹部    １１  脚部    １２  サムターン座    １３  取り付け孔
【図１】
0003223597.tif 000003
【図２】
0003223597.tif 000004
【図３】
0003223597.tif 000005
【図４】
0003223597.tif 000006
(57)【要約】      （修正有）【課題】自転車の駐輪時に前輪タイヤの左右の傾き、及び複数連鎖倒傾を防止しようとする前輪傾斜防止用具を提供する。【解決手段】自転車のトップチューブを基点に、ダウンチューブ、タイヤ泥除カバー、フオーク、タイヤにかけて適度の巾、長さ、厚さを有した材質に把持力を与えて両面からはさむもの。【選択図】図１
0003223505.tif 000002
【実用新案登録請求の範囲】
【請求項１】
自転車のトップチューブからダウンチーブ更に（フロント）フオーク、泥除けカバー及びタイヤに到るまでを、二面に折曲げた型態で把握力を有した材質で挟み、前輪の転向を防止すると同時に、取外し携帯が可能で、車種によりトップチューブの角度に合せることが出来ることを特長とした自転車の駐輪時、前輪タイヤの傾斜防止を目的としている。
【考案の詳細な説明】
【技術分野】
【０００１】本考案は自転車の駐車時前輪タイヤの傾斜を防ぐ携帯用具である。
【背景技術】
【０００２】公園の広場又は一般家庭  店頭  今日自転車は到る所で見受けられるが、残念乍ら整頓されている場面が少い。
前輪が左右に傾いてからみ合い、数台が連って倒れていることを見かける。白線内の駐輪場にでも見られる。
【先行技術文献】
【０００３】
【特許文献】
【特許文献】〔１〕昭和５４−１４０３３４号
【考案の概要】
【考案が解決しようとする課題】
【０００４】本考案は前述の様な状態を、危険の無い、使用が簡単な、しかも携帯出来る用具で、駐輪時の傾斜やからみ合を解消するを目的としている。
【課題を解決するための手段】
【０００５】自転車のトップチューブからダウンチューブ、（フロント）フオークまでを把握力を保持する型態と材質で前輪タイヤの傾斜を押える。
【考案の効果】
【０００６】駐輪中、平地に於ても前輪が傾斜して出入れにも苦労するが当考案の防止用具がセットされていることでスムーズに出入れが可能である、
又乗車中は用具を外して荷台に入てどこでも利用出るので便利である。
【図面の簡単な説明】
【０００７】
【図１】当考案の傾斜防止具の全景図
【図２】当防止用具をダウンチューブから（フロント）フオーク）にかけての把握図
【図３】当防止用具をトップチューブ、ダウンチューブ、（フロント）フオークにかけての把握図
【考案を実施するための形態】
【０００８】把握のある２枚に曲折させた材質を図１の如く先端を前輪の（フロント）フオークに差込んで傾斜を防いでいる。
【実施例】
【０００９】図２図３は一実施例である、図２はトップチューブの無い自転車、図３の自転車は、トップチューブ３及びダウンチューブ４がある各自転車に当考案の傾斜防止用具を利用している。
【符号の説明】
【００１０】１．トップチューブ把握曲折箇所
２．（フロント）フオーク把握の先端部分
３．把握具の押込みの力が加えられる箇所矢印の方向え
４．ダウンチューブ
５．トップチューブ
６．タイヤ泥除けカバー
７．（フロント）フオーク
８．タイヤ
【図１】
0003223505.tif 000003
【図２】
0003223505.tif 000004
【図３】
0003223505.tif 000005
【手続補正書】
【提出日】令和1年7月24日(2019.7.24)
【手続補正１】
【補正対象書類名】実用新案登録請求の範囲
【補正対象項目名】全文
【補正方法】変更
【補正の内容】
【実用新案登録請求の範囲】
【請求項１】
自転車のトップチューブを基点に、ダウンチューブ  タイヤ泥除カバー，フオーク，タイヤにかけて適度の巾，長さ，厚さを有した材質に把持力を与えて両面からはさむことを目的とした前輪傾斜防止用具。
(57)【要約】      （修正有）【課題】四輪以上の自動車のライトを昼間時に自動点灯させるとともに、ヘッドアップディスプレイによりフロントガラスにライト点灯中と表示し、昼間点灯走行による交通事故防止を図る自動点灯装置を提供する。【解決手段】バッテリーと、ライトを点灯させるための通電状態を作るスイッチと、エンジンを始動させるためのスイッチ及び始動するためのスイッチ状態に基づいて連動するスイッチを有した自動二輪車の自動点灯装置において、エンジン始動時一時的にライトを消灯させ、バッテリー電圧を復帰させて、バッテリーから大電流を流して始動性を向上し、始動後、再びライトを点灯させる装置を、四輪以上の自動車に導入する。また、上記と連動させてヘッドアップディスプレイ表示装置を使い、フロントガラスにライト点灯中と反射投影する。【選択図】図１
0003223503.tif 000002
【実用新案登録請求の範囲】
【請求項１】
四輪以上の自動車に、自動二輪車の自動点灯装置を導入するとともに、これと連動するヘッドアップディスプレイを設け、駆動時、フロントガラスに、ライト点灯中と表示する。
【考案の詳細な説明】
【技術分野】
【０００１】  本考案は、前記自動車における自動点灯装置及びヘッドアップディスプレイに関するものである。
【背景技術】
【０００２】  前記に示す自動点灯装置は、特開平０４−０３８２３２の自動二輪車の自動点灯装置並びに特開２０１９−３４７０８のヘッドアップディスプレイフロントガラス表示を前記自動車に導入しようとするものである。
【先行技術文献】
【特許文献】
【０００３】
【特許文献１】特開平０４−０３８２３２  公報
【特許文献２】特開２０１９−３４７０８  公報
【非特許文献】
【０００４】
【非特許文献１】
【考案の概要】
【考案が解決しようとする課題】
【０００５】  欧米においては、自動車の昼間点灯は視認性が高まり重傷・死亡事故に効果があることが研究発表され、昼間点灯が義務付けられている国がある。
日本においても、事故防止効果を狙い、長野県警などの試行したアンケート結果によると約７割が効果を期待するものとなっている。
こうしたことから、運送会社、バス会社、タクシー会社などの間で徐々に広がりを見せており、警察も夕暮れ時の交通事故防止に、ライト点灯運動を進めている。
一方、昼間点灯の弊害として、点灯車両へのパッシングや、右折車両が対面車両のライト点灯を、右折のＯＫサインと見間違え衝突事故も発生している。
エンジンススイッチを操作することによって、四輪以上の自動車のライトを昼間時に自動点灯させるとともに、ヘッドアップディスプレイによりフロントガラスにライト点灯中と表示し、昼間点灯走行により交通事故防止を図るものである。
【課題を解決するための手段】
【０００６】  自動二輪車の自動点灯装置（特開平０４−０３８２３２）及びヘッドアップディスプレイフロントガラス表示（特開２０１９−３４７０８）を四輪以上の自動車に導入するものである。
【考案の効果】
【０００７】  本考案の装置導入は、経費がかからず、重傷・死亡事故等交通事故の減少のほか、運転者のマナーアップ等に効果があり、経済的かつ有効な交通安全対策と考えられる。
【図面の簡単な説明】
【０００８】
【図１】本考案の四輪以上の自動車に、自動二輪車用の自動点灯装置及びヘッドアップディスプレイフロントガラス表示を導入した実施図である。
【考案を実施するための形態】
【０００９】  本考案は、バッテリーと、ライトを点灯させるための通電状態を作るスイッチと、エンジンを始動させるためのスイッチ及び始動するためのスイッチ状態に基づいて連動するスイッチを有した自動二輪車の自動点灯装置において、エンジン始動時一時的にライトを消灯させ、バッテリー電圧を復帰させて、バッテリーから大電流を流させて始動性を向上し、始動後、再びライトを点灯させる装置を、四輪以上の自動車に導入する。
また、上記と連動させたヘッドアップディスプレイのフロントガラスディスプレイ表示装置を使い、フロントガラスにライト点灯中と反射投影するもの。
【実施例】
【００１０】  １はバッテリー、２はイグニッションスイッチ、３はリレー、４はヘッドライト、５はマグネットスイッチ、６はスタータスイッチ、７はセルモータ、８はヘッドアップディスプレイのフロントガラスディスプレイ表示装置で、スタータスイッチを操作することにより、四輪以上の自動車のライトが自動的に点灯する。
【産業上の利用可能性】
【００１１】  比較的低コストの交通事故防止対策により、経済的効果が期待できる。
【符号の説明】
【００１２】  １  バッテリー  ２  イグニッションスイッチ  ３  リレー  ４  ヘッドライト  ５  マグネットスイッチ  ６  スタータスイッチ  ７  セルモータ  ８  ヘッドアップディスプレイのフロントガラス表示装置
【図１】
0003223503.tif 000003
【手続補正書】
【提出日】令和1年7月29日(2019.7.29)
【手続補正１】
【補正対象書類名】実用新案登録請求の範囲
【補正対象項目名】全文
【補正方法】変更
【補正の内容】
【実用新案登録請求の範囲】
【請求項１】
四輪以上の自動車に、自動二輪車の自動点灯装置を導入するとともに、これと連動するヘッドアップディスプレイを設け、駆動時、フロントガラスにライト点灯中  と表示することを特徴とするヘッドアップディスプレイ付き自動点灯装置。
(57)【要約】      （修正有）【課題】柔らかいシャツの襟でも、簡単に、しっかり立った状態にできる簡易襟立てサポーターを提供する。【解決手段】襟の高さに合わせて帯状に切断され、内側側面に滑り止めテープを取り付けた軟質プラスチックプレートからなる。【選択図】図１
0003223510.tif 000002
【実用新案登録請求の範囲】
【請求項１】
軟質プラスチックプレートを、襟の高さに合わせて帯状に切断し、その内側側面に
滑り止めテープを取り付けること。
【請求項２】
軟質プラスチックプレートを、襟の高さに合わせて帯状に切断したものの、長さ方向
の両端に、幅方向の折り返しを付けること。
【考案の詳細な説明】
【技術分野】
【０００１】
本考案は、シャツの襟が、しっかり立った状態を保持するための、簡易サポーターに関するものである。
【背景技術】
【０００２】
シャツの襟を、しっかり立った状態に保持するためには、アイロンがけなどにより、あらかじめ襟の形を整えておくか、または、使用する人が、自分でポリエチレンなどの軟質プラスチックプレートを、襟の高さに合わせて切断し、襟の折り返し部分に差し込むしかない。  
【０００３】
しかし、アイロンがけは、手間がかかる欠点があり、プラスチックプレートなどを加工したものを使用して、サポートする方法では、手間がかかる上に、使用中に、ずれたりして、使いにくい欠点がある。
【先行技術文献】
【特許文献】
【０００４】
なし。
【非特許文献】
【０００５】
なし。
【考案の概要】
【考案が解決しようとする課題】
【０００６】
解決しようとする問題点は、プラスチックプレートなどを使用して、シャツの襟をしっかり立った状態に保持でき、かつ、使用中にずれないサポーターを、作成することである
【課題を解決するための手段】
【０００７】
本考案は、襟の折り返し部分に差し込んで、シャツの襟を、しっかり立った状態に保持するため、ポリエチレンなどの軟質プラスチックプレートを、襟の高さに合わせて帯状に切断し、その側面に、滑り止めテープを取り付けて、安定した状態で使用できることを、特徴とする。
【考案の効果】
【０００８】
本考案の簡易腕立てサポーターサポーターは、滑り止めテープが付けられた軟質プラスチックプレートを使用して、襟の折り返し部分に、装着しやすい形に加工されているため、安定した状態で、手軽に使用できるという利点がある。
【図面の簡単な説明】
【０００９】
【図１】図１は、本考案の簡易腕立てサポーターＡを、ワイシャツの襟に、装着した状態を示す説明図である。
【図２】図２は、本考案の簡易腕立てサポーターＡの形状を示す説明図である。（実施例１）
【図３】図３は、本考案の簡易腕立てサポーターＢの形状を示す説明図である。（実施例２）
【考案を実施するための形態】
【００１０】
ポリエチレンなどの軟質プラスチックプレートを、襟の高さに合わせて帯状に切断し、その内側側面に、滑り止めテープを取り付けたサポーターを、襟の折り返し部分に装着することで、簡単に襟の状態を保つことを、可能にした。
【実施例１】
【００１１】
ポリエチレンなどの軟質プラスチックプレートを、襟の高さに合わせて帯状に切断し、長手方向の両端の内側側面に、滑り止めテープを取り付けただけのサポーターで、最も簡単に制作できるものである。（簡易腕立てサポーターＡ）
【実施例２】
【００１２】
実施例１に示す簡易襟立てサポーターＡの、長手方向両端の幅方向に、襟の形に合わせた折り返しを付け、襟をしっかりと支えやすくしたものである。（簡易腕立てサポーターＢ）
【産業上の利用可能性】
【００１３】
軟質プラスチックプレートなどを切断し、両端に、滑り止めテープを取り付けただけ
のものであるため、幅広い分野で、容易に制作できるものである。
【符号の説明】
【００１４】
１  襟の折り返し部分に装着した状態の、簡易襟立てサポーターＡ
２  滑り止めテープ
３  簡易襟立てサポーターＢの折り返し
【図１】
0003223510.tif 000003
【図２】
0003223510.tif 000004
【図３】
0003223510.tif 000005
【手続補正書】
【提出日】令和1年8月15日(2019.8.15)
【手続補正１】
【補正対象書類名】実用新案登録請求の範囲
【補正対象項目名】全文
【補正方法】変更
【補正の内容】
【実用新案登録請求の範囲】
【請求項１】
襟の高さに合わせて帯状に切断され、内側側面に滑り止めテープを取り付けた軟質プラスチックプレートからなる簡易襟立てサポーター。
【請求項２】
襟の高さに合わせて帯状に切断した軟質プラスチックプレートの長さ方向の両端に、幅方向の折り返しを付けた簡易襟立てサポーター。
(57)【要約】      （修正有）【課題】帽子収納式雨具を提供する。【解決手段】帽子からナイロンカバーを吊るして、全身を雨に濡れることを防ぐ。【選択図】図１
0003223504.tif 000002
【実用新案登録請求の範囲】
【請求項１】
帽子からナイロンカバーを吊るして、全身を雨に濡れることを防ぐところを特徴とする帽子収納式雨具。
【考案の詳細な説明】
【技術分野】
【０００１】
本考案は、帽子収納式雨具に関するものである。
【考案の概要】
【考案が解決しようとする課題】
【０００２】
強風を伴う雨では、傘は風にあおられ差しづらく、レインコートは脱着がしづらく、衣服や肌が濡れやすい問題がある。従って、ビニール製の帽子の内部に、ナイロン製の透明カバーを、それぞれ顔、上半身、下半身と３段階に分割して、それぞれ連結して収納し、着衣時には、帽子を頭にかぶって、そのまま上から透明カバーを吊り下げて着ることで、着やすくし、また脱ぐときは雨しずくを払ってから、下から順に頭の帽子に収納することで、脱ぎやすくかつ濡れにくくして、前述の欠点を解決しようとするものである。
【課題を解決するための手段】
【０００３】
本考案は、ビニール製の帽子の内部に連結したナイロン製の透明カバーを、それぞれ顔、上半身、下半身と３段階に分割して収納し、着衣時には、帽子を頭にかぶって、そのまま上から透明カバーを着て、また脱ぐときは雨しずくを払ってから、下から順に頭の帽子に収納することで、問題点を解決している。
【考案の効果】
【０００４】
上述の様に、本考案の帽子収納式雨具は、強風を伴う雨から濡れにくくなり、さらに花粉や粉塵や火山灰などからも衣服や人体を守ることに役立つ。
【図面の簡単な説明】
【０００５】
【図１】本考案の着衣した場合の全体の俯瞰図である。
【図２】本考案のナイロンカバーとナイロン連結ベルトの俯瞰図である。
【図３】本考案の帽子に収納した場合の断面図である。
【符号の説明】
【０００６】
１    ビニール製の帽子（頭部）
２    ナイロン製の透明カバー（顔部）
３    ナイロン製の透明カバー（上半身部）
４    ナイロン製の透明カバー（下半身部）
５    ナイロン製の連結ベルト
【図１】
0003223504.tif 000003
【図２】
0003223504.tif 000004
【図３】
0003223504.tif 000005
【手続補正書】
【提出日】令和1年8月15日(2019.8.15)
【手続補正１】
【補正対象書類名】実用新案登録請求の範囲
【補正対象項目名】全文
【補正方法】変更
【補正の内容】
【実用新案登録請求の範囲】
【請求項１】
帽子からナイロンカバーを吊るして、全身を雨に濡れることを防ぐ雨具。
(57)【要約】      （修正有）【課題】植林苗などを植え付ける植穴を、荒地、傾斜地に容易に開けることのできる穴あけ器を提供する。【解決手段】穴あけ器Ａの棒体３の下端部に略逆Ｕ字状の連結部４を備えることにより洋鐙型の足載せ部５を形成し、足を差し込んだ状態で器具の軸心に体重を安定してかけることができ、不安定な傾斜地でも容易に穴あけ棒体６を差し込むことができる。穴あけ棒体をネジなどで本体と着脱自在にし、プラグ苗の大きさに合わせたものと交換可能にすることで、複数種類の植林を同じ器具で行うことが可能となる。【選択図】図１
0003223824.tif 000002
【実用新案登録請求の範囲】
【請求項１】
上部に取っ手を有する棒体と、前記棒体の上端部に形成される打撃可能部と、前記棒体の下端部に形成される略逆Ｕ字状の連結部と、前記連結部の下端同士間に前記棒体の軸方向と直角方向に形成される足載せ部と、前記足載せ部の下方に前記棒体の軸心と一致するように形成される穴あけ棒体を備えてなる穴あけ器。
【請求項２】
前記穴あけ棒体を前記足載せ部に着脱自在に取り付けてなることを特徴とする請求項１に記載の穴あけ器。
【考案の詳細な説明】
【技術分野】
【０００１】本考案は、植林苗などを植え付ける植穴を、荒地、傾斜地に容易に開けることのできる穴あけ器に関するものである。
【背景技術】
【０００２】植林作業の多くが傾斜地や、木の根などが這う荒地で行われるため、移植ゴテのような片刃のスコップでは植林苗の植穴を掘ることが難しい。
【先行技術文献】
【特許文献】
【０００３】
【特許文献１】実用新案登録第３１０２３０７号
【考案の概要】
【考案が解決しようとする課題】
【０００４】特許文献１のように、長い穴あけ棒体に取っ手を付け、突き刺すだけで植え穴をあけることができる植え穴あけ器は存在するが、苗プラグに合わせたサイズのものは専用器具になる他、足載せ部が穴あけ棒体から直角に片側、もしくは両側に設けられているため、片足を足載せ部に掛けて踏み込むだけでは、穴あけ棒体の軸心に体重をかけるのが難しい形状となっていた。山間部や荒地を歩いた後の、土などが付いた靴では滑りやすくなるため、バランスの取りづらい傾斜地などでは、特に器具に片足をかけること自体が困難で危険があり、専用器具があっても傾斜地では使用できないため、短いピッケルなどで代用されていた。
【課題を解決するための手段】
【０００５】本考案の穴あけ器は、上部に取っ手を有する棒体と、前記棒体の上端部に形成される打撃可能部と、前記棒体の下端部に形成される略逆Ｕ字状の連結部と、前記連結部の下端同士間に前記棒体の軸方向と直角方向に形成される足載せ部と、前記足載せ部の下方に前記棒体の軸心と一致するように形成される穴あけ棒体を備えるものである。
【考案の効果】
【０００６】本考案の穴あけ器は、器具に略逆Ｕ字状の連結部と、前記連結部の下端同士間に前記棒体の軸方向と直角方向に形成される足載せ部を設けることにより、器具の中心に体重を安定してかけることができ、不安定な傾斜地でも容易に穴あけ棒体を差し込むことができるようになった。また、略逆Ｕ字状の連結部の個所に足を差し込んだ形となり、土などが付いた靴でも滑りにくく山間部や荒地での作業も安全に行える。また、足を掛けて作業することが困難な場合に備え、本体上端部に打撃可能部を設けることで、穴あけ棒体を打ち込むこともできる。さらに、穴あけ棒体をネジなどで本体と着脱自在にすることで、穴あけ棒体はプラグ苗の大きさに合わせて交換可能なので、複数種類の植林を同じ器具で行うことが可能となる。
【図面の簡単な説明】
【０００７】
【図１】  本考案の実施例の斜視図である。
【図２】  本考案の足載せ部に足を掛ける作業状態を示す斜視図である。
【図３】  本考案の打撃可能部を打撃する作業状態を示す斜視図である。
【考案を実施するための形態】
【０００８】本考案の穴あけ器Ａは金属製であり、図１に示されるように、棒体３の上端には、取っ手１の横方向の中央部分が打撃可能部２によって一体的に固定されており、棒体１の下端には、略逆Ｕ字状の連結部４が別部材の連結体にて溶接等によって一体的に固定されている。略逆Ｕ字状の連結部４の下端同士間には、足載せ部５が棒体３の軸方向と直角方向に形成されている。そして、足載せ部５の中央部分の下方には、棒体３の軸心と一致するように、穴あけ棒体６が形成されている。この穴あけ棒体６は足載せ部５の下面に着脱自在に取り付けられるものである。そして、図示するように、穴あけ棒体６と取り換え可能となる穴あけサイズが異なる穴あけ棒体８に示されるように、穴あけ棒体８の上端に形成されている取付板部分が、足載せ部５の下面に形成される固定孔（図示せず）に、穴あけ棒体取付ネジ７によって固定されて、穴あけ棒体６、８が足載せ部５に取り換え自在に取り付け可能となっている。穴あけ棒体のサイズは多数あっても良い。
なお、取り換え自在に取り付け可能なる着脱手段は、ネジによる説明を行なったが、他の取付（着脱）手段でもよい。
【０００９】棒体３の下端部に形成される略逆Ｕ字状の連結部４と足載せ部５によって洋鐙形の足載せ部５を形成することにより、土などで汚れた靴底でも安定した足掛けを行える。足載せ部５の足載せ部分に滑り止め機能を設けても良い。また、略逆Ｕ字状の連結部４と同等の強度を持つ打撃可能部２を器具の本体となる棒体３の上部に備えられているので、取っ手１の連結部分を保護する形となる。また、打撃可能部２は強度を高めた金属材を使用しても良い。
【００１０】本考案の穴あけ器は、図２に示すように、略逆Ｕ字状の連結部４と足載せ部５によって形成される洋鐙形の足載せ部５に片足を入れ、穴あけ棒体６に安全に体重を掛けることによって植樹用ポット苗に適した植穴を地面にあけることができる。また、木の根や石などで穴あけ棒体６が刺さりにくい場合、図３に示すように、取っ手１で器具全体を支えながら打撃可能部２を木槌などで打撃し、穴あけ作業をすることができ、途中から切り替えて穴あけ作業を継続することができる。
【産業上の利用可能性】
【００１１】上述では、山間部や荒地での植林の作業での説明を行ったが、植林の作業以外の穴あけ用に使用しても良いものである。
【符号の説明】
【００１２】１  取っ手
２  打撃可能部
３  棒体
４  略逆Ｕ字状の連結部
５  足載せ部
６  穴あけ棒体
７  穴あけ棒体取付ネジ
８  穴あけ棒体（別サイズ）
Ａ  穴あけ器
【図１】
0003223824.tif 000003
【図２】
0003223824.tif 000004
【図３】
0003223824.tif 000005
(57)【要約】      （修正有）【課題】アクセルペダルとブレーキペダルの踏み間違えによる誤発進を抑制する乗用車を提供する。【解決手段】ドライバーが着席する着座シート２と、ドライバーが着席して操作するアクセルペダル３と、ドライバーが着座シート２に着席している時にドライバーから見てアクセルペダル３の右側に配置されるブレーキペダル４と、を有する。【選択図】図１
0003223841.tif 000002
【実用新案登録請求の範囲】
【請求項１】
ドライバーが着席する座面と、
ドライバーが着席して操作するアクセルペダルと、
ドライバーが前記座面に着席している時にドライバーから見て前記アクセルペダルの右側に配置されるブレーキペダルと、
を有することを特徴とする乗用車。
【考案の詳細な説明】
【技術分野】
【０００１】
本考案は乗用車に関する。
【背景技術】
【０００２】
近年、乗用車の誤発進による事故が報告されている。これらの多くは、アクセルペダルとブレーキペダルを踏み間違えることにより発生している。
【先行技術文献】
【特許文献】
【０００３】
【特許文献１】特開２０１９−１４４７０号公報
【考案の概要】
【考案が解決しようとする課題】
【０００４】
乗用車に誤動作を抑制する装置、例えば、音や光による警告装置を表示灯や電子音を取り付けたとしても、緊急時には、人間がそれらの装置による報知に気づかない場合がある。また、装置を取り付けるとそれだけ乗用車のコストが上昇する。
１つの側面では、本考案は、誤発進を抑制することを目的とする。
【課題を解決するための手段】
【０００５】
上記目的を達成するために、開示の乗用車が提供される。この乗用車は、ドライバーが着席する座面と、ドライバーが着席して操作するアクセルペダルと、ドライバーが座面に着席している時にドライバーから見てアクセルペダルの右側に配置されるブレーキペダルと、を有している。
【考案の効果】
【０００６】
１態様では、誤発進を抑制することができる。
【図面の簡単な説明】
【０００７】
【図１】実施の形態の乗用車を示す図である。
【考案を実施するための形態】
【０００８】
以下、実施の形態の乗用車を、図面を参照して詳細に説明する。
＜実施の形態＞
図１は、実施の形態の乗用車を示す図である。
図１は、乗用車１の車内を図示している。説明に表さない部分（ハンドル等）の図示を省略している。
乗用車１としては、例えば普通乗用車や、トラック等が挙げられる。
【０００９】
実施の形態の乗用車１は、ドライバーが着席する着座シート２とアクセルペダル３とブレーキペダル４とを有している。また、図１では配置関係を分かり易くするためにフロアマット５を図示している。
【００１０】
ブレーキペダル４は、アクセルペダル３の右側（外側）に配置されている。すなわち、一般的に売られている乗用車とはアクセルペダルとブレーキペダルの配置が逆になっている。但し、配置位置を逆にしなくてもよい。アクセルペダル３は、ドライバーがアクセルペダル３を無理な体勢を取ることなく（長時間踏み込んでも違和感なく）踏み込むことができる位置に配置されており、ブレーキペダル４の位置は、そのアクセルペダルの右側に配置されている。
人間の回避反応として、例えば、手の背部への軽い接触が、刺激から逃れるためのその肢の回線、内転−外転、屈曲−伸展を引き起こすことが知られている。
【００１１】
一般的に売られている乗用車を運転する際、ブレーキペダルが左側に配置されており、アクセルペダルが右側に配置されていることを、人間は知識により理解して運転している。しかしながら、緊急時においては、人間は理解ではなく、反射的に行動する。このため、緊急時には人間の骨格の有り様から、前述した回避反応により人間は右足６を外側に移動させて（スライドさせて）力を入れると予測される。このため、右側にアクセルペダルが配置されていれば、そのアクセルペダルを踏んでしまい、乗用車が誤発進してしまう。
【００１２】
乗用車１によれば、ブレーキペダル４がアクセルペダル３の右側に配置されている。このため、緊急時に咄嗟に踏むペダルがブレーキペダル４である可能性を高め、誤発進を抑制できる。
なお、実施の形態の乗用車１は運転席が右側にある、いわゆる右ハンドル車を図示しているが、左ハンドル車についても同様の構造とすることができる。
【００１３】
以上、本考案の乗用車を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００１４】
１  乗用車
２  着座シート
３  アクセルペダル
４  ブレーキペダル
５  フロアマット
６  右足
【図１】
0003223841.tif 000003
(57)【要約】      （修正有）【課題】風力発電機向けバードストライク防止装置を提供する。【解決手段】風力発電機のハブ４に超音波発生装置１を設置し、鳥類の嫌がる超音波をあてて追い払い、ナセル６の上部にランプ２を設置し、鳥類が近づくとセンサーが反応しランプが点灯することで鳥類を追い払い、ブレード５に鳥よけ用色彩テープを張り付け、鳥類を近づけないようにすることで、鳥類が風車との衝突を回避し、死傷しないようにする。【選択図】図１
0003223889.tif 000002
【実用新案登録請求の範囲】
【請求項１】
超音波発生装置とランプを設置している風力発電機向けバードストライク防止装置であって、ブレードに鳥よけ用色彩テープを張り付けてあるところを特徴とする風力発電機向けバードストライク防止装置。
【考案の詳細な説明】
【技術分野】
【０００１】
本考案は、風力発電機向けバードストライク防止装置に関するものである。
【考案の概要】
【考案が解決しようとする課題】
【０００２】
風力発電機には、鳥類が衝突して死傷するといったバードストライク問題がある。従って、超音波発生装置およびランプを風力発電機に設置して鳥類が風力発電機に近づくと追い払い、また風力発電機のブレードの表面に鳥よけ用の色彩テープを張ることにより、鳥類が近寄らないようにすることで、前述の問題を解決しようとするものである。
【課題を解決するための手段】
【０００３】
本考案は、風力発電機のハブに超音波発生装置を設置し、鳥類の嫌がる超音波をあてて追い払い、ナセルの上部にランプを設置し、鳥類が近づくとセンサーが反応しランプが点灯することで鳥類を追い払い、ブレードに鳥よけ用色彩テープを張り付け、鳥類を近づけないようにすることで問題点を解決している。
【考案の効果】
【０００４】
上述の様に、本考案の風力発電機向けバードストライク防止装置は、鳥類が風車との衝突を回避し、死傷しないようにすることに役立つ。
【図面の簡単な説明】
【０００５】
【図１】本考案の風力発電機向けバードストライク防止装置の断面図である。
【図２】本考案の風力発電機向けバードストライク防止装置のブレードとハブ部分の正面図である。
【符号の説明】
【０００６】
1      超音波発生装置
2      ランプ
3      鳥よけ用の色彩テープ
4      ハブ
5   ブレード
6   ナセル
【図１】
0003223889.tif 000003
【図２】
0003223889.tif 000004
(57)【要約】      （修正有）【課題】柔かい芝生を踏んでいるように、快適に着用できる人工草マッサージスリッパを提供する。【解決手段】靴底とアッパーからなる人工草マッサージスリッパであって、靴底中心が抜かれた構造とし、抜かれた部分に横方向、縦方向で交錯している枠組４が設けられ、枠組の交差箇所に交錯点６が形成され、枠組に複数の人工草葉３が設けられ、人工草葉の上部が湾曲し、隣接した２本の人工草葉の湾曲方向が異なる。枠組の交錯点の底部に支持体５が設けられ、支持体底部が靴底の縁部と揃えられている。人工草葉は湾曲しており、足の裏と弾性的に接触し、かつ、接触面が広いので、柔らかい芝生を踏んでいるように、快適に着用できる。靴底は抜かれた構造としているので、直ぐに排水可能であり、バスルームやその他の濡れた環境にも適用できる。【選択図】図４
0003223883.tif 000002
【実用新案登録請求の範囲】
【請求項１】
靴底（１）とアッパー（２）からなり、前記靴底（１）の中心が抜かれた構造とし、抜かれた部分に横方向、縦方向で交錯している枠組（４）が設けられ、枠組（４）の交差箇所に交錯点（６）が形成され、前記の枠組（４）に複数の人工草葉（３）が設けられ、前記人工草葉（３）の上部が湾曲し、隣接した２本の人工草葉（３）の湾曲方向が異なる、ことを特徴とする人工草マッサージスリッパ。
【請求項２】
前記枠組（４）の交錯点（６）の底部に支持体（５）が設けられ、当該支持体（５）底部が靴底（１）の縁部に揃えられている、ことを特徴とする請求項１に記載の人工草マッサージスリッパ。
【請求項３】
前記人工草葉（３）が交錯点（６）に設けられ、各交錯点（６）に２本または４本の人工草葉（３）が設けられ、各交錯点（６）における人工草葉（３）の湾曲方向が違う、ことを特徴とする請求項１または請求項２に記載の人工草マッサージスリッパ。
【請求項４】
前記人工草葉（３）が２つの交錯点（６）の間にある枠組（４）に設けられ、人工草葉（３）の湾曲方向が当該枠組（４）に対して垂直であることを特徴とする請求項１または請求項２に記載の人工草マッサージスリッパ。 
【考案の詳細な説明】
【技術分野】
【０００１】
本実用新案は着用されるスリッパであって、具体的には、着用が快適で、マッサージ機能を持ったスリッパに関しているものである。
【背景技術】
【０００２】
現在、市販のマッサージスリッパは通常、靴底にいくつかの突起、凹みを設けたもので、突起、凹みが靴底との接触面積が小さく、着用の快適性に乏しく、強い痛み感が感じられる。中国特許局に２０１７年３月１５日付で公開された、出願公開番号が２０１５１０５５５１３５．９であるマッサージ可能なスリッパは、靴底面にいくつかの突起した細いゴム柱が設けられ、足裏のマッサージの役割が果たせ、着用しているときに、スリッパに設けられた小さいゴム柱により足の裏をマッサージし、いつでも利用できるようになっている。このスリッパでは、靴底のゴム柱により、足の裏をマッサージしている。ゴム柱と足の裏との接触面積が小さいため、使用時にひどい痛み感が感じられ、日常の着用には向いていない。
【考案の概要】
【０００３】
本実用新案は従来技術の欠陥及び不足に対し、日常において快適に着用可能な人工草マッサージスリッパを提供していることを目的としている。
【０００４】
前記目的を実現しているために、本実用新案で採用した技術案は、靴底とアッパーからなる人工草マッサージスリッパであって、前記靴底中心が抜かれた構造とし、抜かれた部分に横方向、縦方向で交錯している枠組が設けられ、枠組の交差箇所に交錯点が形成され、前記の枠組に複数の人工草葉が設けられ、前記人工草葉の上部が湾曲し、隣接した２本の人工草葉の湾曲方向が異なる。
【０００５】
前記枠組の交錯点の底部に支持体が設けられ、当該支持体底部が靴底の縁部に揃えられている。
【０００６】
前記人工草葉が交錯点に設けられ、各交錯点に２本または４本の人工草葉が設けられ、各交錯点における人工草葉の湾曲方向が違う。
【０００７】
前記人工草葉が２つの交錯点の間にある枠組に設けられ、人工草葉の湾曲方向が当該枠組に対して垂直であることとしている。
【０００８】
本実用新案に係るものが着用される際には、人工草葉で足の裏がマッサージされる。人工草葉は湾曲しており、足の裏と弾性的に接触し、かつ、接触面が広いので、柔らかい芝生を踏んでいるように、快適に着用できる。靴底は抜かれた構造としているので、直ぐに排水可能であり、バスルームやその他の濡れた環境にも適用できる。構造が簡単で、コストが低い特長を持っており、市場の将来性が期待できる。
【図面の簡単な説明】
【０００９】
【図１】は本実用新案の構造イメージ図である。
【図２】は本実用新案底面の構造イメージ図である。
【図３】は図１のＡ箇所拡大図である。
【図４】は本実用新案の枠組と人工草葉の構造イメージ図である。
【考案を実施するための形態】
【００１０】
図１、図２のように、本実用新案は人工草マッサージスリッパであって、靴底１とアッパー２からなり、前記靴底１の中心が抜かれた構造とし、抜かれた部分に横方向、縦方向で交錯している枠組４が設けられ、枠組４の交差箇所に交錯点６が形成された。靴底は抜かれた構造としているので、直ぐに排水可能で、バスルームやその他の濡れた環境にも適用できる。前記枠組４の交錯点６の底部に支持体５が設けられ、当該支持体５底部が靴底１の縁部と揃っている。支持体５は枠組４を支持し、かつ複数の支持体５は良好な滑り止め効果を持ち、バスルーム、その他の濡れた環境でも転倒しにくい。
【００１１】
図３、図４のように、前記枠組４には複数本の人工草葉３が設けられ、当該人工草葉３の上部が湾曲し、隣接した２本の人工草葉３の湾曲方向が異なる。前記人工草葉３は交錯点６に設けることができ、各交錯点６に２本または４本の人工草葉３が設けられる。各交錯点６に設けられた人工草葉３の湾曲方向が違うため、人工草葉３で靴底１の上表面を均一に覆うことができる。前記人工草葉３が２つの交錯点６の間にある枠組４に設けることもでき、人工草葉３の湾曲方向が当該枠組４と垂直することで、人工草葉３で靴底１の上表面を均一に覆うこともできる。
【００１２】
本実用新案に係るものを着用する場合、人工草葉３で足の裏をマッサージすることができ、人工草葉３が湾曲しているので、足の裏と弾性的に接触し、かつ接触面が大きいので、柔らかい芝生に踏んでいるように、快適に着用できる。靴底は抜かれた構造としているので、直ぐに排水可能で、バスルームやその他の濡れた環境にも適用できる。構造が簡単で、コストが低い特長を持っており、市場の将来性が期待できる。 
【図１】
0003223883.tif 000003
【図２】
0003223883.tif 000004
【図３】
0003223883.tif 000005
【図４】
0003223883.tif 000006
(57)【要約】      （修正有）【課題】装着が簡単で外れにくく、タナを瞬時に変えられる釣り具のシンカーを提供する。【解決手段】シンカー本体の上方から下方にかけて糸を通すための穴があり、下方にはハリス止めが設けられている。【選択図】図１
0003223413.tif 000002
【実用新案登録請求の範囲】
【請求項１】
釣り具のおもり
【考案の詳細な説明】
【技術分野】
【０００１】
釣具
【考案の概要】
【考案が解決しようとする課題】
【０００２】
一般的な釣り針を結んだ下におもりを付ける仕掛け(図2)(以下ダウンショットといいます）に用いられるおもり（以下シンカーといいます）はハリス止めがシンカー本体の上部に付いているものが大多数です（図3）
ハリス止めに釣り糸を挟み固定するのですが、挟み込むだけでは頻繁に外れてしまい、シンカーを無くしてしまう事が多く環境的にも悪く対策が必要で、せっかくの取り外しが瞬時に可能なハリス止めにもう一度結ぶなどで外れることを回避していました。
【課題を解決するための手段】
【０００３】
一般的な、ハリス止めがシンカー本体の上部に付いているダウンショットシンカー(図3）は釣り糸をハリス止めに挟み込むだけでは外れることが多いのでハリス止めが付いているにもかかわらず更に一度結んで使用している釣り人が多くいます、なぜ外れることが多いのか検証したところ、釣り糸がハリス止めに対して自由に360度あらゆる方向に動くことで、ハリス止めの一番外れやすいシンカー下部への方向にも動いてしまう、その時に外れてしまう現象が起こりやすいのです。
よってハリス止めに対して、外れやすい方向に釣り糸がいかないようにする方法がこの発明です。
簡単装着で外れにくくタナ(図２のT)が瞬時に変えられるダウンショットシンカー（図1）はシンカー本体の上方から下方に糸が通すようにあいている穴に釣り糸を通してからハリス止めに挟み込むので、釣り糸の動く方向を固定し、ハリス止めに挟み込むだけで釣り糸にダウンショットシンカーをしっかりと取り付けることが可能になりました。
【考案の効果】
【０００４】
簡単装着で外れにくくタナが瞬時に変えられるダウンショットシンカー（図1）は、シンカーの上部にハリス止めやスイベルも配置せず突起物もないので、水草やごみなどを拾いにくく、さらにハリス止めに挟み込んでいるだけで釣り糸をしっかり固定できるので、簡単にシンカーの位置を瞬時に変えることでタナ(図２のT)の調節ができます。
【図面の簡単な説明】
【０００５】
【図１】簡単装着で外れにくくタナが瞬時に変えられるダウンショットシンカー
【図２】ダウンショットリグの説明図
【図３】一般的なダウンショトシンカー
【図４】簡単装着で外れにくくタナが瞬時に変えられるダウンショットシンカーの使用例です。
【考案を実施するための形態】
【０００６】
シンカーの上方の穴から釣り糸を通し、好きな長さの場所にシンカーを移動し、ハリス止めに釣り糸を挟み込み固定します。（図４）
【実施例】
【０００７】
図４のように、ダウンショットの仕掛けを作った後も、タナ(図２のT)を変えたくなれば、下方側の釣り糸をハリス止めの外れるほうに動かしハリス止めから一度糸を外し、好きな位置にシンカーを動かして、再びハリス止めに固定すれば、瞬時にタナ(図２のT)を変えることが可能である。
【産業上の利用可能性】
【０００８】
簡単装着で外れにくくタナが瞬時に変えられるダウンショットシンカーを普及させ、より簡単に便利に仕掛けが出来るようになれば、初心者も楽しく釣りができて、釣り具業界の発展に貢献できる。
【符号の説明】
【０００９】
図3のTは、水底から魚に食いつかせようとする、餌やルアーなどの距離である、釣りの用語で”タナ"と呼ばれています。
タナの調整は大事で、魚がいる層に持っていくことにより、釣果に差が出ます。
【図１】
0003223413.tif 000003
【図２】
0003223413.tif 000004
【図３】
0003223413.tif 000005
【図４】
0003223413.tif 000006
【手続補正書】
【提出日】令和1年7月31日(2019.7.31)
【手続補正１】
【補正対象書類名】実用新案登録請求の範囲
【補正対象項目名】全文
【補正方法】変更
【補正の内容】
【実用新案登録請求の範囲】
【請求項１】
シンカー本体の上方から下方にかけて糸を通すための穴があり、前記下方にはハリス止めが設けられたことを特徴とする釣り具のシンカー
(57)【要約】      （修正有）【課題】食品等を衛生的に取り扱うことができるように、摘み部を設けたスプーンを提供する。【解決手段】窪み皿１に接合した支持２に摘み部３と転倒防止の支持４が接合されたことにより、一体化した形状を特徴とする。【選択図】図１
0003223415.tif 000002
【実用新案登録請求の範囲】
【請求項１】
スプーン本体に摘み部及び転倒防止の支持を設けたところを特徴とする摘み付きスプーン。
【考案の詳細な説明】
【技術分野】
【０００１】  本考案は、容器に入った顆粒、粉状になったものを掬い取る摘み及び転倒防止の支えを設けたスプーンに関するものである。
【背景技術】
【０００２】  市販されている通常のスプーンは、容器に粉状の砂糖等と一緒に入った場合、その中に埋もれていた。
【考案の開示】
【考案が解決しようとす課題】
【０００３】  容器に入った粉状の砂糖と一緒に入った通常のスプーンは柄の部分が食品である砂糖に接触している為、衛生面において間題があったことを解決するものである。
【課題を解決するための手段】
【０００４】  本考案は、金属及びプラスチック等の適宜材質で本体が形成されており、窪み皿に上向きに接合された支持と摘み部と転倒防止の支持が接合されたことによって、外部に露出した摘み部を持ち上げて通常のスプーンのように使用する。
【図面の簡単な説明】
【０００５】
【図１】本考案の立体図である。
【符号の説明】  １  窪み皿
２  支持
３  摘み部
４  転倒防止の支持
【図１】
0003223415.tif 000003
【手続補正書】
【提出日】令和1年7月22日(2019.7.22)
【手続補正１】
【補正対象書類名】実用新案登録請求の範囲
【補正対象項目名】全文
【補正方法】変更
【補正の内容】
【実用新案登録請求の範囲】
【請求項１】
窪み皿に接合した支持に摘み部と転倒防止の支持が接合されたことにより、一体化した形状を特徴とする摘み付きスプーン。